(57)【要約】【課題】遮光羽根の配置を適切化し、しかも、遮光羽根の遮光光量差の発生が少なく、より適切な露出が実行でき、かつ、装置の小型化も可能な光量調節装置を提供する。【解決手段】光量調整装置を有する本レンズ鏡筒１０内には、沈胴駆動時およびズーム駆動時、光軸Ｏ方向に相対的に進退移動する撮影光学系としての１群枠１９と２群枠２０を有しており、２群枠２０に対して２群枠２０の背面側にシャッタユニット２１が一体化されて配置されており、そのシャッタユニット２１には、シャッタ羽根４９，５０とＮＤフィルタ５１が内蔵されるが、撮影光学系の光学絞り位置ではない部分に配置される。上記シャッタ羽根４９，５０の配設位置では周辺光が偏っており、高輝度時、シャッタスピ−ド高速時、特にワイド時でシェーディングが発生しやすい。それを防止するために感度調整を可能とし、また、シャッタスピ−ドの低速側への切り換えを可能とする。【選択図】    図５
2004252367.tif 000002
【特許請求の範囲】
【請求項１】
光学系の光路中に配置される光量調節装置において、
上記光学系の光学絞り位置に対して上記光学系の一部を構成する光学素子を挟んで反対側に配置される一対の遮光羽根と、
上記一対の遮光羽根を互いに相反する方向に回転駆動することにより開口を開閉駆動する駆動手段と、を具備する光量調節装置。
【請求項２】
上記遮光羽根のそれぞれは、その開閉駆動に際して、上記光学系の周辺光束を略均等に遮光することを特徴とする請求項１に記載の光量調節装置。
【請求項３】
光学絞り位置よりも突出する光学面を有するレンズと、
上記レンズの上記光学面とは反対側に配置され、開口を開閉するための遮光羽根と、
上記遮光羽根を駆動する駆動源と、を具備しており、上記駆動源は、上記レンズの側方に配されることを特徴とする光量調節装置。
【請求項４】
上記駆動源は、光軸方向で上記光学絞り位置と遮光羽根との間の空間内に配されることを特徴とする請求項３に記載の光量調節装置。
【請求項５】
光学系の光学絞り位置に対し、上記光学系の一部を構成する光学素子を挟んで反対側に配置されると共に、上記光学系の露出開口を開放する位置と遮蔽する位置とに移動可能な遮光羽根を有するシャッタ装置と、
上記光学系の光路中に配され、上記露出開口を開放する位置と覆う位置とに移動可能であって、所定の透過率を有するフィルタと、
上記光学系の変倍状態とシャッタスピードに応じて上記フィルタを上記覆う位置に移動するか否かを決定する制御手段と、を具備し、上記フィルタが上記開放する位置にある状態で、上記シャッタスピードが所定値以上の高速となる場合には、上記フィルタを上記覆う位置として、より低速のシャッタースピードにより撮影することを特徴とするカメラ。
【請求項６】
射出面が凹面に形成された第１のレンズ群と、上記第１のレンズ群からの射出光が入射される凸面を有する第２のレンズ群と、を有し、上記第１のレンズ群と第２のレンズ群との間に光学的な絞り位置が位置する変倍可能な光学系と、
上記第２のレンズ群の後方に配され、露出開口を開放する位置と遮蔽する位置とに移動可能な遮光羽根を有するシャッタ装置と、
上記第２のレンズ群の後方に配され、上記露出開口を開放する位置と覆う位置とに移動可能であって、所定の透過率を有するフィルタを有するフィルタ装置と、
上記光学系の変倍状態とシャッタスピードに応じて上記フィルタを上記覆う位置に移動するか否かを決定する制御手段と、を具備し、上記フィルタが上記開放する位置にある状態で、上記シャッタスピードが所定値以上の高速となる場合には、上記フィルタを上記覆う位置に移動し、より低速のシャッタースピードを用いて撮影することを特徴とするカメラ。
【請求項７】
上記制御手段は、上記フィルタが上記開放する位置にある状態で、撮影時のシャッタスピードが所定値以上となる場合に上記フィルタを上記覆う位置に移動制御し、上記シャッタスピードの所定値には、上記光学系の焦点距離によって異なる値を採用するように制御することを特徴とする請求項５または６に記載のカメラ。
【請求項８】
上記光学系が短焦点側である際の上記シャッタスピードの所定値は、上記光学系が長焦点側である際の上記シャッタスピードの所定値よりも高速であることを特徴とする請求項７に記載のカメラ。
【発明の詳細な説明】
【０００１】
【発明の属する技術分野】
本発明は、光学系の光路中に配置される光量調節装置および光量調節装置を内蔵するカメラに関する。
【０００２】
【従来の技術】
従来、一般的なシャッタ装置などの光量調節装置においては、複数枚の遮光羽根を開閉駆動することにより光量調節が行われている。例えば、特許文献１には、２枚の遮光羽根をそれぞれ相反する方向に回動駆動することにより開閉を行うシャッタ装置が開示されている。また、特許文献２に記載されたシャッタ装置は、複数枚の遮光羽根を駆動することにより開閉するシャッタ装置が開示されている。
【０００３】
他にＮＤフィルタを光路内に挿脱する方法により光量調節するものも提案されている。例えば、特許文献３には、被写体輝度が所定値以上である場合に上記ＮＤフィルタを開口部に挿入する減光装置（光量調節装置）を内蔵するデジタルカメラが開示されている。
【０００４】
【特許文献１】
特許文献１は、特開２００２−２８７２０７号公報である。
【０００５】
【特許文献２】
特許文献２は、特開２０００−８９２９５号公報である。
【０００６】
【特許文献３】
特許文献３は、特開２０００−１５２０７２号公報である。
【０００７】
【発明が解決しようとする課題】
上述した従来のシャッタ装置においては、上記遮光羽根は、中心光束，周辺光束ともに光軸Ｏに対して偏らずに分布するような、所謂、光学系の絞り位置に配置することが多い。しかしながら、シャッタ装置（光量調節装置）を上記絞り位置に配置するためには、該絞り位置に当然ながらシャッタ装置を配置するスペースが必要である。したがって、光学系やレンズ鏡筒内の各種機構の配置や移動位置や形状等に種々の制限を課することとなり、よりコンパクトな装置を提供することが困難であった。
【０００８】
しかし、上記遮光羽根を光学的な絞り位置と異なる位置に単に移させただけては、周辺光束が光軸Ｏに対して偏ることから遮光羽根の開閉途中において、周辺光束と中心光束との遮光状態が異なって、周辺部と中心部との光量差によるシェーディングが発生してしまう。さらに、遮光羽根の挙動によっては、周辺部においても各象限の光量差によるシェーディングが発生してしまう可能性がある。このような傾向は、特に短焦点側（ワイド側）や高速シャッタスピードを用いる場合に顕著となる。
【０００９】
本発明は、上述の問題点に鑑みてなされたものであり、遮光羽根の配置を適切化し、しかも、遮光羽根による遮光光量差の発生が少なく、より適切な露出が実行でき、かつ、装置の小型化も図ることできる光量調節装置、または、カメラを提供することを目的とする。
【００１０】
【課題を解決するための手段】
本発明の請求項１に記載の光量調節装置は、光学系の光路中に配置される光量調節装置において、上記光学系の光学絞り位置に対して上記光学系の一部を構成する光学素子を挟んで反対側に配置される一対の遮光羽根と、上記一対の遮光羽根を互いに相反する方向に回転駆動することにより開口を開閉駆動する駆動手段とを具備しており、上記駆動手段により上記遮光羽根が開閉駆動される。
【００１１】
本発明の請求項２に記載の光量調節装置は、請求項１に記載の光量調節装置において、上記遮光羽根のそれぞれは、その開閉駆動に際して、上記光学系の周辺光束を略均等に遮光する。
【００１２】
本発明の請求項３に記載の光量調節装置は、光学絞り位置よりも突出する光学面を有するレンズと、上記レンズの上記光学面とは反対側に配置される遮光羽根と、上記遮光羽根を駆動する駆動源とを具備しており、上記駆動源は、上記レンズの側方に配される。
【００１３】
本発明の請求項４に記載の光量調節装置は、請求項３に記載の光量調節装置において、上記駆動源は、光軸方向で上記光学絞り位置と遮光羽根との間の空間内に配される。
【００１４】
本発明の請求項５に記載のカメラは、光学系の光学絞り位置に対し、上記光学系の一部を構成する光学素子を挟んで反対側に配置されると共に、上記光学系の露出開口を開放する位置と遮蔽する位置とに移動可能な遮光羽根を有するシャッタ装置と、上記光学系の光路中に配され、上記露出開口を開放する位置と覆う位置とに移動可能であって、所定の透過率を有するフィルタと、上記光学系の変倍状態とシャッタスピードに応じて上記フィルタを上記覆う位置に移動するか否かを決定する制御手段とを具備し、上記フィルタが上記開放する位置にある状態で、上記シャッタスピードが所定値以上の高速となる場合には、上記フィルタを上記覆う位置として、より低速のシャッタースピードにより撮影する。
【００１５】
本発明の請求項６に記載のカメラは、射出面が凹面に形成された第１のレンズ群と、上記第１のレンズ群からの射出光が入射される凸面を有する第２のレンズ群と、を有し、上記第１のレンズ群と第２のレンズ群との間に光学的な絞り位置が位置する変倍可能な光学系と、上記第２のレンズ群の後方に配され、露出開口を開放する位置と遮蔽する位置とに移動可能な遮光羽根を有するシャッタ装置と、上記第２のレンズ群の後方に配され、上記露出開口を開放する位置と覆う位置とに移動可能であって、所定の透過率を有するフィルタを有するフィルタ装置と、上記光学系の変倍状態とシャッタスピードに応じて上記フィルタを上記覆う位置に移動するか否かを決定する制御手段とを具備し、上記フィルタが上記開放する位置にある状態で、上記シャッタスピードが所定値以上の高速となる場合には、上記フィルタを上記覆う位置に移動し、より低速のシャッタースピードを用いて撮影する。
【００１６】
本発明の請求項７に記載のカメラは、請求項５または６に記載のカメラにおいて、上記制御手段は、上記フィルタが上記開放する位置にある状態で、撮影時のシャッタスピードが所定値以上となる場合に上記フィルタを上記覆う位置に移動制御し、上記シャッタスピードの所定値には、上記光学系の焦点距離によって異なる値を採用するように制御する。
【００１７】
本発明の請求項８に記載のカメラは、請求項７に記載のカメラにおいて、上記光学系が短焦点側である際の上記シャッタスピードの所定値は、上記光学系が長焦点側である際の上記シャッタスピードの所定値よりも高速である。
【００１８】
【発明の実施の形態】
以下、本発明の実施の形態について図を用いて説明する。
図１，２は、本発明の一実施形態である光量調節装置を有するレンズ鏡筒が組み込まれたカメラの外観を示す斜視図であり、図１は、バリア閉状態、図２は、バリア開状態を示している。図３は、上記カメラに内蔵されるレンズ鏡筒の繰り出し状態での外観を示す図である。
【００１９】
なお、以下の説明において、撮影レンズ光軸Ｏに沿う前後（被写体側と結像側）方向をＺ方向とし、Ｚ方向に垂直な水平方向をＸ方向とし、Ｚ方向に垂直な上下方向をＹ方向とする。また、回転方向は、前方被写体側からみた回転方向で示す。
【００２０】
上記カメラ１は、撮像素子で取り込まれた被写体の画像信号をデジタル信号に変換してメモリカード等に記録することが可能なデジタルカメラである。このカメラ１の外装体は、図１，２に示すように前カバー２と、中カバー３と、後カバー４からなり、前カバー２には、その前面部に撮影レンズ鏡筒１０，ファインダ窓６等の前面を開閉するスライド操作可能なレンズバリア５が配置されている。
【００２１】
上記前カバー２と、中カバー３と、後カバー４は、外観面を形成する外装部材となる金属薄板により形成され、それぞれその内側には、補強および組み付けのための合成樹脂からなる各内枠部材が接着固定されている。
【００２２】
上記前カバー２には、その前面部に沈胴可能なズームレンズ鏡筒である撮影レンズ鏡筒（以下レンズ鏡筒と記載）１０と、ファインダ窓６と、ストロボ発光窓７等が配置されている。上記レンズ鏡筒１０，ファインダ窓６，ストロボ発光窓７等の前面部分は、スライド可能なレンズバリア５により開閉される。レンズバリアが右側閉鎖位置にあるときにレンズ鏡筒は、沈胴位置に繰り込まれており、前面部分が閉鎖されて撮影不可能な状態となる（図１）。左方開放位置にあるときレンズ鏡筒前面部分が開放され、レンズ鏡筒は、撮影可能な位置に繰り出された状態となる（図２）。
【００２３】
さらに、上記中カバー３の上面部には、レリーズスイッチ操作釦８が配置され、上記後カバー４の背面上部には、ファインダ接眼窓９が配置されている。
【００２４】
上記レンズ鏡筒１０は、レンズ鏡枠を有する沈胴可能なズームレンズ鏡筒であって、図３に示すようにカメラ１の内部に固定支持される固定枠１１とその固定枠１１に回転，進退自在に支持され、撮影状態で固定枠１１より外方に繰り出されるカム枠１５およびズーム枠１６を有している。上記カム枠１５，ズーム枠１６内には、ズーム撮影光学系を構成する１群レンズ４７、および、２群レンズ４８（図５）が組み込まれている。なお、上記固定枠１１の前端側は、前カバー２に装着された鏡筒保持枠７１により支持されている。また、上記固定枠１１からシャッタ駆動制御，フォーカス駆動制御用のフレキシブルプリント基板（以下、ＦＰＣと記載する）１０９が導出しており、さらに、固定枠１１に装着されるズーム駆動ユニット１３からは、ズーム駆動制御用ＦＰＣ１０８が導出している。それらのＦＰＣは、図示しないカメラ内部の制御部に接続される。以下、上記レンズ鏡筒１０の構造の詳細について説明する。
【００２５】
図４は、上記レンズ鏡筒の固定枠側の構成部材を被写体側からみた分解斜視図であり、図５は、上記レンズ鏡筒のカム枠側の構成部材を被写体側からみた分解斜視図である。図６は、上記レンズ鏡筒における２群枠とシャッタユニットとを被写体側からみた拡大分解斜視図である。図７は、上記レンズ鏡筒における合焦駆動ユニットと、一体化された２群枠およびシャッタユニットとを結像側から見た分解斜視図である。図８〜１０は、上記レンズ鏡筒の各状態での縦断面の上半部を示す図であって、図８が沈胴状態、図９がワイド状態、図１０がテレ状態をそれぞれ示している。
【００２６】
図４，５等に示すように、レンズ鏡筒１０の主要構成としては、主にカメラ本体に固定支持される固定枠１１と、固定枠１１の外周部に取り付けられ、ズームモータ２４を有するズーム駆動ユニット１３と、固定枠１１の後方側に固定される撮像素子であるＣＣＤを内蔵するＣＣＤユニット１２と、後述するズーム枠１６，２群枠２０を直進ガイドするためのフロートキー１４と、固定枠１１に嵌入し、沈胴位置と撮影位置間を回動しながら進退し、かつ、上記撮影位置でワイド回動位置からテレ回動位置間を回動するカム枠１５と、カム枠１５に進退自在に嵌入し、フロートキー１４により直進ガイドされ、沈胴位置と撮影位置間を進退移動するズーム枠１６と、ズーム枠１６内に固着される第１の枠である合焦駆動枠１８および第３の枠である１群枠１９とからなる合焦駆動枠ユニット１７と、カム枠１５内に進退自在に支持され、第２の枠である２群枠２０と、２群枠２０に固定支持され、開閉可能なシャッタ羽根４９，５０およびＮＤフィルタ５１を有する光量調節装置（シャッタ装置）としてのシャッタユニット２１と、撮影光学系を構成し、上記１群枠１９に保持される合焦レンズである１群レンズ４７および上記２群枠２０に保持される２群レンズ４８と、ズーム枠１６の先端部と１群枠１９の先端部の間に配置される遮光ゴム７２と、カム枠１５の先端部とズーム枠１６の金属筒３２（後述）外周の間に配置される遮光ゴム７３と、固定枠１１の先端部とカム枠１５の金属筒３１（後述）外周の間に配置される遮光ゴム７４と、シャッタユニット２１の背面部に配される可撓性シート部材からなる遮光部材である遮光シート５５とを有してなる。
【００２７】
上記固定枠１１は、開口部１１ａを有する円環状部材であって、その外周部にギヤ室１１ｄが設けられ、ギヤ室１１ｄには、カム枠１５を回転駆動するためのロングギヤ２６がその軸心をＺ方向に沿わせた状態で回転可能に軸支されている。また、固定枠１１には、その内周部に雌ヘリコイドねじ１１ｂと、上記雌ヘリコイドねじ１１ｂに連通する円周方向に沿ったロック溝１１ｃと、Ｚ方向に沿ったキー溝１１ｆ，１１ｇとが設けられる。さらに、カム枠１５の沈胴回動終端近傍位置検出用ミラー部１５ｆの位置を検出するためのカム枠回動位置検出センサ（図示せず）が内周部に配置されている。
【００２８】
上記ズーム駆動ユニット１３は、減速ギヤ列および終段アイドルギヤ２５を内蔵するギヤボックス２３と、エンコーダ付きズーム駆動用ＤＣモータであるズームモータ２４とを有してなる。このズーム駆動ユニット１３は、ギヤボックス２３のビス挿通穴２３ａ，２３ｂを挿通させたビスを固定枠１１のロングギヤ室端部のビスネジ穴１１ｅ等に螺着して固定枠１１の外周部に固定される。その固定状態で上記アイドルギヤ２５は、ロングギヤ２６と噛合する。なお、ロングギヤ２６は、図示しないズームファインダ駆動用ギヤ７５とも噛合しており、ファインダ光学系のズーム駆動用の駆動力も伝達する。
【００２９】
上記ＣＣＤユニット１２は、撮像用開口部２２ａおよびロングギヤ軸支穴２２ｂを有するＣＣＤホルダ２２と、上記開口部２２ａ内側に配置されるローパスフィルタ６１と、ＣＣＤホルダ１２の背面に固着されるＣＣＤ基板６３と、ＣＣＤ基板６３上に実装され、撮像面が光軸Ｏと直交するように配されるＣＣＤ６２と、ＣＣＤ６２をＣＣＤホルダ１２に対して位置決めするためのＣＣＤ位置決め板６４とを有してなる。なお、上記ローパスフィルタ６１とＣＣＤ６２との間には、ＣＣＤゴム６５が圧縮状態で挟持されている。
【００３０】
上記フロートキー１４は、金属板製のリング部材であり、開口部１４ａを有し、前方に向けてＺ方向に平行状態で延出する２本のキー部１４ｄ，１４ｆと、外周に突出し、固定枠１１のキー溝１１ｆ，１１ｇに摺動自在に嵌入する２つの凸部１４ｂ，１４ｃとが設けられる。上記一方のキー部１４ｄの先端部１４ｅは、基端側に比べ、僅かに幅寸法が広い段形状を有している。このフロートキー１４の前側には、開口部２７ａを有するリング形状のフロートガイド２７がキー部１４ｄ，１４ｆの外側に挿入され、ビスにより固着されている。このフロートガイド２７の外周には、複数の凸状の爪部２７ｂが設けられる。
【００３１】
なお、フロートキー１４は、リング形状のプレス成形部材であるがキー部１４ｆをリング状部分の外側から、また、キー部１４ｄをリング状部分の内側から折り曲げるようにして形成して、効率のよいブランク板取りを可能にしている。
【００３２】
本実施形態のこのフロートキー１４のそのキー部１４ｆ、１４ｄは、固定枠およびカム枠より小径であってレンズ鏡筒先端にあるズーム枠１６の後述のキー溝に嵌合して摺接するため、そのキー部１４ｆ、１４ｄは、鏡筒内半径方向の比較的光軸Ｏ側に光軸と平行に配置されている。そして、キー部１４ｆ、１４ｄの一方は、リング状部分の外側から折り曲げて形成されるが、その折り曲げ部分の位置は、上述のようにリング状部分の内側にあることになるから、このリング状部分のその部分の繋がり部分が非常に細くなってしまう。従って、キー部１４ｆ、１４ｄは、その側面から多少の外力がかかるため、キー部１４ｆ、１４ｄの両方を外側から曲げることは、好ましくない。また、上記キー部１４ｄと１４ｆに対して、直進ガイド時の負荷が先端部１４ｅを持つキー部１４ｄの方に多く作用するが、上述のように折り曲げることにより、キー部１４ｄ側の方の強度を大きくすることができる（これは、キー部１４ｄ側のリング形状部とのつながり部分の幅が広くとれるため）。このようにフロートキー１４を形成すれば、この部品のコスト低廉化が可能になる。
【００３３】
上記カム枠１５は、開口部１５ａを有する円環状部材であって、その外周部後端側に固定枠１１の雌ヘリコイドねじ１１ｂと螺合可能な雄ヘリコイドねじ１５ｂと、ロングギヤ２６と噛合し、該雄ヘリコイドねじ１５ｂに重畳した状態の平歯車形状のギヤ部１５ｃと、該雄ヘリコイドねじ中に配されるカム枠の沈胴回動終端近傍位置検出用ミラー部１５ｆと、該雄ヘリコイドねじに対して所定幅離間した前方位置に固定枠１１のロック溝１１ｃに摺動自在に嵌入可能な３つのロック凸部１５ｄとが設けられる。
【００３４】
さらに、カム枠１５の内周面部１５ｇには、後方端部にフロートガイド２７の爪部２７ｂが摺動自在に嵌入する、周方向に沿った内周ガイド溝１５ｈと、光軸Ｏ方向に対して斜行する３本のカム溝１５ｅが設けられる。そして、カム枠１５のロック凸部１５ｄより前方側の外周部には、外装キャップ部となる金属筒３１が嵌入、固着されている。
【００３５】
上記ズーム枠１６は、前方開口部１６ａを有する円環状筒部材であって、その後方外周面１６ｄ上の３つの取り付け穴には、カム枠１５のカム溝１５ｅに摺動自在に嵌入する３つのカムフォロア３５が嵌合固着されている。また、ズーム枠１６の内周部には、光軸Ｏと平行な方向に沿った溝であって、フロートキー１４のキー部１４ｄ先端１４ｅおよびキー部１４ｆが摺動自在に嵌入するガイド溝１６ｂ，１６ｃが設けられる。
【００３６】
そして、ズーム枠１６の後方外周部１６ｄより前方の外周部には、外装キャップ部となる金属筒３２が嵌入、固着され、さらに、前面部には、前飾り板３３が貼付されている。なお、図中では前飾り板３３の一部のみを示す。
【００３７】
上記合焦駆動枠ユニット１７は、合焦駆動枠１８と、該合焦駆動枠１８の後方に突出（凸部を形成する）して固着される駆動源のステッピングモータであるフォーカスモータ４１と、１群枠１９と、上記１群枠１９を進退自在に支持する１群枠ガイドロッド４２と、該ガイドロッド４２に挿入され、１群枠１９を後方に付勢する圧縮バネである付勢バネ４４と、フォーカスモータ４１により回転駆動される１群枠進退駆動用送りネジ４１Ａ（図７）と、１群枠１９の進退位置リセット用ＰＩ（フォトインタラプタ）７６（図７）とを有してなる。
【００３８】
上記合焦駆動枠１８は、ズーム枠１６の内部にビスにより固着される枠部材であって、中央部に１群枠１９を挿入可能な開口部１８ａを有し、上方部にフォーカスモータ４１が固着され、フォーカスモータ４１の側方の軸支持部１８ｂにて送りネジ４１Ａおよび１群ガイドロッド４２が光軸Ｏと平行となるように支持されている。また、下方部に１群枠１９を光軸Ｏ方向にスライドガイドするガイド溝部１８ｄが設けられ、上記進退位置リセット用ＰＩ７６が配置されている。
【００３９】
上記フォーカスモータ４１と軸支持部１８ｂとは、合焦駆動枠１８の後方側に突出した状態で配されている。このフォーカスモータ４１と軸支持部１８ｂとからなる突出部は、進退駆動時、後述する２群枠２０やシャッタ地板３７の切り欠き部２０ｇ，３７ｓに進入可能である。
【００４０】
上記送りネジ４１Ａは、合焦駆動時にフォーカスモータ４１によりピニオンを介して回転駆動され、この送りネジ４１Ａの回転によって１群枠１９が付勢バネ４４に抗しながら１群ガイドロッド４２に沿って進退駆動される。１群枠１９の進退方向（光軸Ｏ方向）のガタ分は、上記付勢バネ４４の付勢力により除かれる。
【００４１】
１群枠１９は、その内周部に１群レンズ４７が保持されており、上方にスリーブ４３がレンズ位置調整後に接着固定されるスリーブ穴１９ｂと、下方に合焦駆動枠１８のガイド溝部１８ｄに嵌合する回転規制用ガイド突起部１９ａと、ＰＩ７６のための検出遮蔽板部１９ｃが設けられる。この１群枠１９は、上記スリーブ４３に１群ガイドロッド４２を摺動自在に嵌入させ、さらに、１群枠１９のガイド突起部１９ａを合焦駆動枠１８のガイド溝１８ｄに嵌入させた状態で光軸Ｏ方向に進退可能に組み付けられる。
【００４２】
なお、上記ガイドロッド４２は、１群レンズ４７の芯合わせ調節を行って合焦駆動枠１８の接着固定される。
【００４３】
すなわち、ガイドロッド４２の前方端部は、ズーム枠１６の軸穴に嵌入可能で、後方端部は、合焦駆動枠１８の軸穴１８ｃに位置調整ガタ分の隙間のある状態で嵌入可能とする。合焦駆動枠１８の組み込み時に上記ガイドロッド４２を１群レンズ４７のスリーブ４３を挿通させて両端を上記ズーム枠１６の軸穴と合焦駆動枠１８の軸穴１８ｃで支持し、そこで、ズーム枠１６の外周部を基準にして１群枠１９に固着された１群レンズ４７の光軸を上下左右にガイドロッド４２の傾きを調整して芯合わせする。その芯合わせ状態で上記軸穴１８ｃとガイドロッド４２との隙間に接着剤を注入して上記ガイドロッド４２の軸端の光軸Ｏ直交方向の位置を固定する。上記ガイドロッド４２の位置移動操作は、上記ガイドロッド４２の後端側凹部に操作具を挿入して行うことができる。また、上記ガイドロッド４２には、光軸Ｏと平行方向の位置規制のために軸穴１８ｃの前方にＥ型止め輪（Ｅリング）４５が装着されており、さらに、上記止め輪４５と軸穴１８ｃの壁面との間には、座金４６が挿入されている。この座金４６により上記注入された接着剤のもれ出しが防止される。
【００４４】
２群枠２０には、その開口部前面の光学絞り位置Ｃ０  （図１１）にフレア絞り２０Ａが装着され、該絞り２０Ａの後方に２群レンズ４８が保持されている。２群枠２０の外方３箇所にカム枠１５のカム溝１５ｅに摺動自在に嵌入する３つのカムフォロア３６が固着されており、さらに、外方２箇所にフロートキー１４のキー部１４ｄ，１４ｆが嵌入するガイド穴２０ｅ，２０ｆが設けられている。また、２群枠２０の上方部は、切り欠き部２０ｇが設けられている。この切り欠き部２０ｇは、レンズ鏡筒１０のズーム駆動時、または、沈胴駆動時にフォーカスモータ４１および合焦駆動枠１８の軸支持部１８ｂの進入を許容するだけのスペースを形成する。
【００４５】
シャッタユニット２１は、中央部に絞り開口３７ａと上方に切り欠き部３７ｓが設けられるシャッタ地板３７と、シャッタ地板３７の背面側に収納される開閉回動可能な遮光羽根である一対（２枚）のシャッタ羽根４９，５０および所定の減光率を有する１枚のＮＤフィルタ５１と、シャッタ地板３７に固着される２つのムービングマグネット型アクチュエータであって、シャッタ駆動源（駆動手段）であるシャッタアクチュエータ５２およびフィルタ駆動源であるフィルタアクチュエータ５４と、上記シャッタ羽根４９，５０およびＮＤフィルタ５１の光軸Ｏ方向を規制するためのシャッタ押さえ３８とを有してなる。なお、上記シャッタ地板３７の切り欠き部３７ｓは、ズーム駆動時、または、沈胴駆動時にフォーカスモータ４１および合焦駆動枠１８の軸支持部１８ｂの進入を許容するスペースを形成する。
【００４６】
上記シャッタユニット２１は、２群枠２０に対してその背面側に固定されて一体化される。すなわち、２群枠２０の係合部２０ｂ、２０ｃにシャッタ地板３７の係止爪３７ｂ、３７ｃを係止させた状態でビス挿通穴２０ｄを挿通させたビスをシャッタ地板３７のビスネジ穴３７ｄに螺着させ、シャッタ地板３７を２群枠２０の背面側に固定し、一体化される（図６，７）。
【００４７】
また、シャッタユニット２１のシャッタ押さえ３８の背面には、可撓性のシート材からなる遮光シート５５が光軸Ｏと垂直平面に沿って配置されている（図７，８）。上記遮光シート５５は、光軸Ｏ近傍がビス止めされ、上半部が自由状態でシャッタ押さえ３８に密着して支持されている。この遮光シート５５により２群枠２０やシャッタ地板３７の切り欠き部２０ｇ，３７ｓからＣＣＤユニット側への不要光が遮光される（図９）。フォーカスモータ４１および軸支持部１８ｂが上記切り欠き部に進入してきたときには、フォーカスモータ４１の後端部で遮光シート５５が押圧され、後方に弾性変形することにより、上記フォーカスモータ４１等の進入が可能となる（図８，１０）。なお、このシャッタユニット２１については後で詳細に説明する。
【００４８】
上記固定枠１１，カム枠１５，ズーム枠１６等の内部構成部材の各内周面には、反射防止塗装が施されている。
【００４９】
上述したレンズ鏡筒１０の各構成部材は、一例として以下の手順で組み立てられる。勿論、他の手順で組み立てることも可能である。まず、カム枠１５の内周部１５ｇに後方側からズーム枠１６を嵌入させ、ズーム枠１６のカムフォロア３５をカム溝１５ｅに嵌入させて１群枠１９および合焦駆動ユニット１７が装着されたズーム枠１６をカム枠１５に組み込む。そして、カム枠１５の内部にシャッタユニット２１が一体化された２群枠２０を挿入して、２群枠２０のカムフォロア３６を共通のカム溝１５ｅに嵌入させる。
【００５０】
さらに、フロートガイド２７が装着されたフロートキー１４をカム枠１５の後面側から挿入し、キー部１４ｄ，１４ｆを２群枠２０のガイド穴２０ｅ，２０ｆに挿通させる。また、上記キー部１４ｄの先端部１４ｅをズーム枠１６のガイド溝１６ｂ側に嵌入させ、キー部１４ｆをズーム枠１６のガイド溝１６ｃ側に嵌入させる。その後、フロートガイド２７の凸部２７ｂをカム枠１５の内周ガイド溝１５ｈに嵌入させる。上記のようにフロートガイド２７の凸部２１ｂが内周ガイド溝１５ｈに嵌入し、かつ、後述するようにフロートキー１４の凸部１４ｂ，１４ｃが固定枠１１に直進ガイドされることから、上記フロートキー１４は、固定枠１１に対して回転規制された状態で光軸Ｏ方向にはカム枠１５と一体的に進退移動することになる。
【００５１】
続いて、上記ズーム枠１６，２群枠２０，フロートキー１４等が組み込まれたカム枠１５を固定枠１１の後面側から挿入し、カム枠１５の雄ヘリコイドねじ１５ｂを雌ヘリコイドねじ１１ｂに螺合させ、かつ、フロートキー１４の凸部１４ｂ，１４ｃを固定枠１１のキー溝１１ｆ，１１ｇに嵌入させる。そこで、ロングギヤ２６を固定枠１１のギヤ室に挿入してロングギヤ２６の前方軸支穴を固定枠側軸支ピン部に嵌合させておく。後方よりＣＣＤ６２等が組み付けられたＣＣＤユニット１２のＣＣＤホルダ２２を装着し、ＣＣＤホルダ２２の軸支穴２２ｂにロングギヤ２６の軸端を嵌入させて、ＣＣＤホルダ２２をビスにより固定枠１１に固着する。以上の組み付けによりレンズ鏡筒１０が完成する。
【００５２】
次に、上記レンズ鏡筒１０の進退駆動動作について説明する。
図１に示すようにレンズバリア５が閉位置にあってレンズ鏡筒１０がカメラ内に繰り込まれた沈胴状態にあるときは、図８に示すように固定枠１１の内部にズーム枠１６および１，２群枠１９，２０等すべてが収納された状態に保持される。ズーム枠１６および２群枠２０のカムフォロア３５，３６は、それぞれ共通のカム溝１５ｅの沈胴終端位置に位置している。また、この沈胴状態でフォーカスモータ４１は、２群枠２０およびシャッタ地板３７の切り欠き部２０ｇ，３７ｓに進入した位置にあり、フォーカスモータ４１の後端部でシャッタ押さえ３８に装着される遮光シート５５が押圧され、後方に変形させた状態に保持されている。フォーカスモータ４１等の上記切り欠き部２０ｇ，３７ｓへの進入によって２群枠２０等とズーム枠１６側の合焦駆動枠１７，１群枠１９等とが極めて接近した状態で保持されている。
【００５３】
そこで、図２に示すようにレンズバリア５を開放位置にスライド操作すると、カメラ内の制御部の指示にしたがってレンズ鏡筒１０は、上記沈胴状態から図９に示す撮影可能なワイド状態に繰り出される。すなわち、ズームモータ２４がエンコーダの出力に基いて制御駆動され、ロングギヤ２６が回転し、カム枠１５が時計回りに回動駆動され、雌，雄ヘリコイドねじ１１ｂ，１５ｂを介して回転しながら前方に繰り出される。そして、カム枠１５のロック凸部１５ｄが固定枠１１のロック溝１１ｃに嵌入した状態となる。このロック溝嵌入状態では、カム枠１５は、ズームモータ２４の回転によって進退することなく撮影可能状態のワイド回動位置とテレ回動位置間を回動する。一方、ズーム枠１６は、フロートキー１４により回転規制された状態でカム枠１５とともに繰り出され、さらに、カム枠１５のカム溝１５ｅによりカムフォロア３５を介して１群枠１９とともに撮影可能なワイド位置に繰り出される。さらに、２群枠２０もフロートキー１４により回転規制された状態でカム枠１５とともに繰り出され、さらに、カム枠１５のカム溝１５ｅによりカムフォロア３６を介して撮影可能なワイド位置に繰り出される。
【００５４】
上記ワイド状態では、２群枠２０とフォーカスモータ４１とは、互いに離間した位置にあるので遮光シート５５は、自己の弾性力によりシャッタ押さえ３８に密着した状態に保持され、２群枠２０の切り欠き部２０ｇからの不要光は、遮光される。
【００５５】
上記撮影可能なワイド状態からズームモータ４１を駆動し、カム枠１５をさらに時計回りの回動させると、ズーム枠１６とともに１群枠１９がフロートキー１４により回転規制された状態でテレ位置に進退移動する（図１０）。同様に２群枠２０もフロートキー１４により回転規制された状態でテレ位置に繰り出される（図１０）。上記テレ状態にあるときは、１群枠１９と２群枠２０は、極接近して位置する。したがって、フォーカスモータ４１が２群枠２０，シャッタ地板３７の切り欠き部２０ｇ，３７ｓに進入し、遮光シート５５がフォーカスモータ４１によって押圧され、弾性変形して後方に傾斜する。しかし、上記切り欠き部２０ｇ，３７ｓには、フォーカスモータ４１等が位置していおり、フォーカスモータ４１などと２群枠２０、シャッタ地板３７との間の隙間は遮光シート５５により覆われていることから上記切り欠き部２０ｇ，３７ｓからの不要光の侵入は防止される。
【００５６】
また、上記ワイド状態からテレ状態の間での合焦駆動動作は、所謂、山登りＡＦ方式で行われる。ＣＣＤ６２の撮像信号から検出されたコントラストデータを基づいてフォーカスモータ４１がパルス制御のもとで駆動制御される。上記フォーカスモータ４１の回動により合焦駆動枠１８の送りネジ４１Ａを介して１群枠１９がズーム枠１６に対して相対的に各合焦位置に進退駆動され、合焦動作が行われる。
【００５７】
撮影終了後、図２に示す位置にあるレンズバリア５を閉方向にスライド移動させると、ズームモータ２４が回転駆動され、カム枠１５が反時計回りにワイド回動位置を経て沈胴回動位置に向けて回転駆動される。カムフォロア３５，３６が共通のカム溝１５ｅを摺動してズーム枠１６，２群枠２０等が沈胴位置に向けて繰り込まれるが、カム枠１５が沈胴回動位置終端近傍まで回動したとき、固定枠１１に取り付けられるカム枠回動位置検出センサによりカム枠１５の回動位置検出ミラー１５ｆが検出されるので、カメラの制御部の指示によりズームモータ２４は、減速駆動モードに入り、その後、カム枠１５が沈胴終端回動位置に到達して停止する。
【００５８】
図１１は、上記レンズ鏡筒の撮影光学系における沈胴状態から撮影可能なワイド状態、さらに、テレ状態へ変化したときの結像面（ＣＣＤ撮像面）に対する各レンズ群（光学素子）の進退位置を示す図である。本図に示すように第１のレンズ群である１群レンズ４７，第２のレンズ群である２群レンズ４８は、結像面側により接近した沈胴位置から撮影可能なワイド位置に向けてほぼ直線的に繰り出され、さらに、それぞれのテレ位置へ繰り出し、または、繰り込み移動する。上記テレ位置にある１群レンズ４７，２群レンズ４８は、図１１に示すように極めて接近する。なお、１群レンズ４７は、ワイド位置からテレ位置へと駆動される場合、一旦、若干繰り込んだ後、再度繰出すように駆動される。
【００５９】
ここで、本実施形態のカメラ１の電気制御系について図１２のブロック構成図を用いて説明する。
本カメラ１には、上記各撮影レンズ，シャッタユニット，ＣＣＤ、および、撮像信号処理等を制御するための電気制御系は、カメラ全体および個々の電気制御部を制御するための制御手段であるＣＰＵ１０１を有し、該ＣＰＵ１０１によって制御される電気制御部材として、撮影レンズである１群レンズ４７および２群レンズ４８を進退駆動するためのズームモータ２４，フォーカスモータ４１と、該モータのためのレンズ駆動回路１０７と、シャッタ羽根４９，５０を回動駆動する駆動源であるシャッタアクチュエータ５２と、該アクチュエータ５２を駆動するためのシャッタ駆動回路１０５と、ＮＤフィルタ５１を回動駆動する駆動源であるフィルタアクチュエータ５４と、該アクチュエータ５４を駆動するためのフィルタ駆動回路１０６と、撮像手段であるＣＣＤ６２と、該ＣＣＤ６２からの撮像信号を処理する撮像回路１０２と、該撮像回路１０２から出力される撮像信号を画像処理して、画像信号を生成する画像処理回路１０３と、画像信号を記憶するメモリカード等よりなる記憶手段１０４と、画像信号による撮影画像等を表示する表示回路１０８とを有してなる。
【００６０】
上述した電気制御系により本カメラ１における撮影時の各制御がなされる。すなわち、ＣＰＵ１０１を介してズームモータ２４が駆動され、撮影レンズのズーム駆動がなされ、撮影露光時には、ＣＣＤ６２を介して取り込まれたコントラストデータに基いて合焦動作が行われる。そして、輝度データに基づいてシャッタアクチュエータ５２，フィルタアクチュエータ５４が駆動制御され、シャッタ羽根４９，５０およびＮＤフィルタ５１が開閉駆動される。さらに、ＣＰＵ１０１により制御されるＣＣＤ６２を介して取り込まれた撮像信号は、ＣＰＵ１０１の制御のもとで撮像回路１０２，画像処理回路１０３により画像信号に変換され、記憶手段１０４に記憶される。また、その画像信号のよる画像は、表示回路１０８を介してＬＣＤ表示部に表示される。
【００６１】
なお、上記撮影動作において、ＣＰＵ１０１は、撮影レンズのズーム，合焦制御や撮像処理制御の他に、上述したようにシャッタユニット２１の制御を含むＡＥ制御を行う。例えば、後述するように撮影レンズのズーム状態およびシャッタスピ−ドに応じてＮＤフィルタ５１をシャッタ開口３７ａを覆う位置に挿入するか否かを決定し、制御する。例えば、ＮＤフィルタ５１が開位置にある状態で上記シャッタスピードが所定値以上となる場合には、上記ＮＤフィルタ５１を上記覆う位置として、より低速のシャッタースピードに切り換えて撮影を行わせるように制御する。また、上記撮影レンズの焦点距離によって上記所定値が異なるように制御し、上記撮影レンズが短焦点側（ワイド側）での上記所定値を上記撮影レンズが長焦点側（テレ側）での上記所定値よりも短い値に設定する。さらに、ＣＰＵ１０１は、ＣＣＤ６２により検出される被写体輝度データに基づいて、該ＣＣＤの感度調節も行う。
【００６２】
次に、本実施形態のカメラ１におけるシャッタユニットの詳細、および、ＡＥ制御について説明する。
上記図１１に示したように撮影光学系における光学絞り位置Ｃ０  においては、周辺光束が偏ることなく略光軸Ｏ周辺に分布しており、それ以外の位置、例えば、２群レンズ４８の背面側位置では、各周辺光束と中心光束とが偏って分布している。したがって、従来の撮影光学系では、通常、絞りやシャッタを上記絞り位置Ｃ０  に配置する。
【００６３】
しかし、本実施形態の撮影光学系では、光学絞り位置Ｃ０  より前方部に２群レンズ４８の凸面光学部が突出しており、さらに、上述のようにテレ状態や、沈胴状態では上記２群レンズ４８の凸部側と１群レンズ４７の背面側凹面部とが極めて接近している。したがって、上記光学絞り位置Ｃ０  にシャッタ羽根４９，５０，ＮＤフィルタ５１を配置することができない。そのため、本実施形態では、前述したように上記シャッタ羽根４９，５０，ＮＤフィルタ５１を有するシャッタユニット２１を２群レンズ４８の背面に配置する。
【００６４】
ところが、上述したように２群レンズの背面位置では、各周辺光束と中心光束とが光軸Ｏに対して偏って分布する。この傾向は、特にワイド状態で著しい。上記周辺光束の偏りによりシェーディングが発生する可能性がある。被写体輝度が高く、シャッタ秒時が早いほど、全露光期間中にてシャッタ羽根を閉じるときの周辺光束の遮光状態の影響が大きくなり、シェーディングが発生しやすくなる。
【００６５】
そこで、本実施形態では、上記シェーディング発生を防止する対策として、１つは、シャッタ羽根の形状，回動動作等のシャッタの機構的に周辺光束をできる均等に遮光することでシェーディングを抑え、他の１つは、ＣＣＤ感度とシャッタスピードとＮＤフィルタとによる露光制御（ＡＥ制御）によって周辺光束の偏りの影響を減じて上記シェーディングを抑えている。
【００６６】
まず、シェーディング防止対策が取られたシャッタユニット２１の詳細な構造およびその開閉動作について、図１３〜１９を用いて説明する。
なお、図１３は、シャッタユニットのシャッタ地板に組み込まれるシャッタ羽根，ＮＤフィルタ等の各構成部材の分解斜視図である。図１４は、上記シャッタ地板上に配置されるシャッタ羽根を結像側から見た全開状態の姿勢を示す図である。図１５は、上記シャッタ羽根を結像側から見た閉じ始めの状態の姿勢を示す図である。図１６は、上記シャッタ羽根を結像側から見た閉じ途中の状態の姿勢を示す図である。図１７は、上記シャッタ羽根を結像側から見たその後の閉じ途中の状態であって、周辺光を遮光したときの姿勢を示す図である。図１８は、上記シャッタ羽根を結像側から見た全閉状態での姿勢を示す図である。図１９は、上記シャッタ羽根の回動角に対する周辺光遮光率の変化を示す線図である。
【００６７】
シャッタユニット２１は、既に説明したようにシャッタ地板３７と、該地板３７に回動自在に支持される２つのシャッタ羽根４９，５０およびＮＤフィルタ５１と、上記シャッタ羽根およびＮＤフィルタの押さえ用の羽根押さえ３８と、遮光シート５５（図７）と、ムービングマグネットタイプ（ロータリーソレノイド）の駆動源であるシャッタアクチュエータ５２とフィルタアクチュエータ５４を有してなる。
【００６８】
上記シャッタ地板３７は、図１３に示すように中央部にシャッタ開口（露出開口）３７ａと、上方部に切り欠き部３７ｓと、前面部（被写体側）に突出する２群枠１９との係止爪３７ｂと、２群枠１９との締結用ビス挿通穴３７ｅが設けられ、また、右下方側（図１３、１４では、左下方側）に円弧状駆動ピン挿通長穴３７ｉと、左下方側（図１３、１４では、右下方側）に円弧状駆動ピン挿通長穴３７ｋとが設けられる。また、シャッタ地板３７の背面部（結像面側）には、挿通長穴３７ｉの両側に所定距離離間した位置に突出する羽根回転軸３７ｇ，３７ｈと、上記挿通長穴３７ｋから所定距離離間した位置に突出するフィルタ回転軸３７ｊと、上方部にフィルタ閉位置ストッパ３７ｎおよびシャッタ閉位置ストッパ３７ｑと、右側方位置（図１３、１４では、左側方位置）にシャッタ開位置ストッパ３７ｍと、下方位置にシャッタ開位置ストッパ３７ｐが配されている。
【００６９】
上記羽根押さえ３８は、シャッタ地板３７に対して所定の隙間を設けた状態で固着され、中央のシャッタ開口に対応する開口部分、および、退避した位置にあるＮＤフィルタ５１のための表面保護用逃げ部分からなる開口部３８ａと、駆動ピン挿通穴，ビス挿通穴３８ｂ等が設けられる。
【００７０】
上記シャッタアクチュエータ５２と上記フィルタアクチュエータ５４とは、シャッタ地板３７の前面部（被写体側）であって、２群レンズ４８の側方位置に固定支持されている。上記シャッタアクチュエータ５２の出力軸には、羽根駆動ピン５３ａを有するシャッタ駆動アーム５３が固着されている。上記羽根駆動ピン５３ａは、シャッタ地板３７の円弧状長穴３７ｉに挿通して取り付けられる。一方、上記フィルタアクチュエータ５４の出力軸には、フィルタ駆動ピン５５ａを有するフィルタ駆動アーム５５が固着されている。上記羽根駆動ピン５５ａは、シャッタ地板３７の円弧状長穴３７ｋに挿通して取り付けられる。
【００７１】
上記シャッタ羽根４９，５０は、それぞれ羽根回転軸３７ｇ，３７ｈに回転自在に嵌入する軸穴４９ａ，５０ａと、羽根駆動ピン５３ａが摺動自在に嵌入する駆動ピン係合長穴４９ｂ，５０ｂとを有し、組み付け状態で対向するそれぞれの中央縁部に凹状の屈曲部４９ｃ，５０ｃが形成されている。シャッタ地板３７に組み付けられたシャッタ羽根４９，５０は、シャッタアクチュエータ５２の回動により通常の開位置（図１４）から撮像終了時に閉位置（図１８）に向けて互いに相反する方向に回動駆動される。
【００７２】
上記ＮＤフィルタ５１は、所定の透過率を有し、光束を所定量減光する。そして、このＮＤフィルタ５１はフィルタ回転軸３７ｊに回転自在に嵌入する軸穴５１ａと、フィルタ駆動ピン５５ａが摺動自在に嵌入する駆動ピン係合長穴５１ｂとを有している。シャッタ地板３７に組み付けられたＮＤフィルタ５１は、フィルタアクチュエータ５４の回動により駆動ピン５５ａを介してシャッタ開口から退避した開放位置（図７）とシャッタ開口を覆う開口覆状位置の間を回動駆動される。ＮＤフィルタ５１が上記開口覆状位置にあるときは、ＣＣＤ６２に入射する被写体光量が所定量減光される。
【００７３】
図１４に示すように上記シャッタ羽根４９，５０は、回転軸３７ｇ，３７ｈに支持されて、かつ、駆動ピン係合長穴４９ｂ，５０ｂに共通の羽根駆動ピン５３ａが挿通しているが、シャッタ羽根４９，５０の主遮蔽方向は、シャッタ開口３７ａの第２象限Ｑ２  と第４象限Ｑ４  との方向である。前述したようにシャッタの配置上、シャッタ開口３７ａに対して周辺光が外方に偏る傾向にあることからその周辺光を均一に遮光し、シェーディングを防止するために次のような配置と羽根形状を採用している。
【００７４】
すなわち、回転軸３７ｇ，３７ｈの間を結ぶ軸間線分Ｓ０  の垂直２等分線をＰ０  とすると、この垂直２等分線Ｐ０  と交差する円弧に沿って上記羽根駆動ピン５３ａが通過する。羽根駆動ピン５３ａの回動初期では、上記垂直２等分線Ｐ０よりも、回動軸３７ｈ側に位置し、その後、回動軸３７ｇ側となる。一方、上記垂直２等分線Ｐ０  は、光軸Ｏに対して第２象限Ｑ２  側に偏って通るように位置している。このように偏らせる理由は、図１４のようにシャッタ駆動アーム５３の回動中心が回転軸３７ｈ側に配置されており、羽根駆動ピン５３ａが円弧軌跡上を通り、回動前半の区間ではシャッタ駆動ピン５３ａが回動軸３７ｇよりも回動軸３７ｈに近いので、シャッタ羽根４９よりもシャッタ羽根５０の方の回動角が大（回動角速度大）である。従って、上記垂直２等分線Ｐ０が光軸Ｏ上を通る場合、シャッタ開口３７ａの第２象限Ｑ２  がと第４象限Ｑ４  よりも遮光されるタイミングが遅くなってしまう。これを、上記垂直２等分線Ｐ０を上記第２象限Ｑ２側に偏らせることで、シャッタ開口３７ａの第２象限Ｑ２と第４象限Ｑ４とが同じタイミングで遮蔽開始される。
【００７５】
一方、羽根駆動ピン５３ａが回動して、回動軸３７ｈ側に位置するようになると、シャッタ羽根４９の回動角速度がシャッタ羽根５０よりも大きくなる。そうすると、シャッタ開口３７ａの第２象限Ｑ２側が第４象限Ｑ４側よりも早く遮光量が増加してしまう。
【００７６】
そこで、シャッタ羽根４９と５０の中央縁部の屈曲部４９ｃと５０ｃの屈曲角度α１  ，α２  を、α１  ＞α２  として、上記シャッタ羽根回動速度差による遮蔽光量の変化に差が生じないようにしている。これにより、閉じ動作途中においても、シャッタ羽根４９の屈曲部４９ｃによるシャッタ開口３７ａの遮蔽タイミングを遅らせると共に、シャッタ羽根５０の屈曲部５０ｃによるシャッタ開口３７ａの遮蔽タイミングを早めている。
【００７７】
上述のようなシャッタ羽根４９，５０の形状と、回転軸３７ｇ，３７ｈの配置を採用することによって、後述するように外方に偏って分布する第２象限，第４象限の周辺光を均等に遮蔽することができる。
【００７８】
上記シャッタ羽根４９，５０をシャッタアクチュエータ５２により回動駆動させてシャッタ開口３７ａを全開状態から全閉状態まで変化させる過程は、図１４から図１８までに示される。すなわち、図１４の全開状態から回動動作が開始され、まず、図１５に示すようにシャッタ開口３７ａを閉じ始め、図１６の閉じ動作の途中は、第２象限Ｑ２  上の周辺光束Ｓ２  と第４象限Ｑ４  上の周辺光束Ｓ４  と同じ状態で遮蔽される。さらに、図１７の閉じ動作の遮光終了近傍は、上記周辺光束Ｓ２  ，Ｓ４  とが同時に遮蔽が完了する。そして、図１８に示すように回動動作が終了する。
【００７９】
図１９は、シャッタアクチュエータ駆動アーム５３の回動角（°）に対する周辺光の遮光率（％）の変化を第２象限Ｑ２  上の周辺光束Ｓ２  と第４象限Ｑ４  上の周辺光束Ｓ４  別に示した線図であり、上記周辺光束Ｓ２  と周辺光束Ｓ４  とが略同じ変化状態で遮光されていることを示している。
【００８０】
上述したようにこのシャッタユニット２１によるとそのシャッタ閉動作において、第２象限Ｑ２  上の周辺光束Ｓ２  と第４象限Ｑ４  上の周辺光束Ｓ４  とが略均等な状態で遮光されることからシャッタ開口３７ａの象限による周辺光量の差が生じにくく、シェーディングの発生が抑えられる。
【００８１】
つぎに、シェーディング防止対策が取られた本実施形態のカメラ１におけるＡＥ制御について、図２０，２１等を用いて説明する。
なお、図２０，２１は、本実施他のカメラにおけるＡＥプログラム線図であって、図２０がズームワイド状態でのＡＥプログラム線図であり、図２１がズームテレ状態でのＡＥプログラム線図である。
【００８２】
本実施形態のカメラ１においては、前述したようにシャッタ羽根４９，５０が撮影光学系の光学的な絞り位置Ｃ０  と異なる２群レンズ４８の背面位置に配置されている。したがって、図１１に示すように、シャッタ羽根４９，５０が配される位置では、ワイド状態，テレ状態ともに中心光束と周辺光束とがずれている。即ち、周辺光束が中心光束よりも光軸から離間した位置を通過している。特にワイド状態では、著しい。一方、シャッタ羽根４９，５０の閉じ動作時においては、シャッタ開口３７ａの外側から開口の遮蔽が行われる。従って、周辺光束から先に遮光されることになる。これにより、中心部と周辺部とで撮像される光量が異なってしまい、所謂、シェーディングが発生してしまう。このような現象の顕現性は、シャッタ秒時と撮影光学系の焦点距離によって異なる。
【００８３】
上記シャッタ秒時（シャッタスピード）については、高速秒時であればあるほど、シャッタ羽根の閉じ動作中の露光量が、全体の露光量に比して大きな割合を占める。従って、シャッタ秒時が高速なほど、上述のようなシェーディングが問題となる。
【００８４】
一方、撮影光学系の焦点距離については、図１１のワイド，テレ状態を比較しても明らかなように、撮影光学系の光学的な絞り位置Ｃ０  と異なる位置では、周辺光束と中心光束とのズレ量がテレ側に比べてワイド側の方が大きい。これは、ワイド側では周辺光束のみをシャッタ羽根が遮光している回動範囲が広くなることを意味する。従って、ワイド側であるほど、上述のようなシェーディングが問題となる。
【００８５】
本実施形態のカメラ１では、上記特性に基づいて上述のシェーディングを効果的に防止するために、以下に詳述するような図２０，２１のＡＥプログラム線図を適用したＡＥ制御を行っている。なお、本実施形態のカメラ１においては、撮影時にシャッタ羽根は、全開状態から閉じ動作を行うのみである。つまり、シャッタ羽根の全開状態にて、ＣＣＤ６２による撮像動作を開始し、所定の時間が経過した時点でシャッタ羽根を閉じることによって撮像動作が終了する。
【００８６】
図２０，２１は、本実施の形態におけるワイド状態とテレ状態でのＡＥプログラム線図の一例であり、詳しくは、本実施形態のカメラ１において、フラッシュ発光オフの状態で、ＣＰＵ１０１の制御による自動感度モード，プログラムモードが設定されている場合のＡＥプログラム線図である。なお、以下の説明において、Ｂｖ値は、検出される被写体輝度を示すブライトバリューである。Ｓｖ値は、ＣＣＤ感度を示すセンシティブバリューであり、ＣＰＵ１０１を介して設定され、ＩＳＯ感度に対応する。Ｅｖ値は、露出量を示すエクスポージャーバリューである。Ｔｖ値は、タイムバリューであり、ＣＰＵ１０１により設定されるシャッタスピードに対応する。Ａｖ値は、絞りを示すアパーチュアバリューであり、ＣＰＵ１０１により制御されるＮＤフィルタ５１の挿入状態により設定され、Ｆ値に対応する。
【００８７】
図２０，２１の左上の線図は、レンズ鏡筒がワイド側、または、テレ側にセットされている場合の自動感度設定の状態を示す線図であり、被写体輝度のＢｖ値に対するＣＣＤ感度のＳｖ値が示されている。ワイド側では、Ｂｖ値３．５以上において、また、テレ側では、Ｂｖ値６．８以上にて、撮像素子であるＣＣＤ６２の感度を下げることでＳｖ値を一段下げる。このＣＣＤ６２の感度の切り換えによって、被写体輝度が高い場合にシャッタスピードが速くなるのを防止する。
【００８８】
一方、図２０，２１の右下の線図は、レンズ鏡筒がワイド側、または、テレ側にセットされている場合に設定されるシャッタスピードのＴｖ値に対する絞りのＡｖ値を示している。まず、図２０の右下に示すワイド側では、シャッタスピードが１／５００秒（Ｔｖ値で９）より速くならないようにＡｖ値を変更させる。
すなわち、被写体輝度のＢｖ値が７．５近傍になると、絞りがＡｖ値３．３でシャッタスピードが１／５００秒となるが、その場合には、ＮＤフィルタ５１をシャッタ開口３７ａ上に挿入させて減光状態とし、絞り口径を変化させることなく、Ａｖ値を６．３に切り換えることによって、シャッタスピードを１／６０秒に切り換える。このようにワイド側での高輝度状態においてもより低速側のシャッタスピードが適用されることになる。
【００８９】
図２１の右下に示すテレ側では、シャッタスピードが１／１０００秒（Ｔｖ値で１０）より速くならないようにＡｖ値を変更させる。すなわち、被写体輝度のＢｖ値が１０近傍になると、絞りがＡｖ値４．９でシャッタスピードが１／１０００秒となるが、ＮＤフィルタ５１をシャッタ開口３７ａ上に挿入させて減光状態とし、Ａｖ値を７．９に切り換えることによって、シャッタスピードを１／１２５秒とする。このようにテレ側での高輝度状態においてもより低速側のシャッタスピードが適用されることになる。
【００９０】
上述のように本実施の形態のカメラ１においては、ワイド側とテレ側とで、ＮＤフィルタを挿入するか否かの判定をシャッタースピードが所定値以上となるか否かによって行う。そして、シェーディングの発生しやすいワイド側（短焦点側）における所定値をテレ側よりも低速側に設定する。つまり、ワイド時の高速秒時での撮影をテレ時の撮影に比してより低速となるように制限している。これにより、各撮影条件でのシェーディングの発生を抑え、常に、適切な撮影結果が得られる。
【００９１】
また、本実施の形態のカメラ１によれば、光学絞りの位置に拘ることなくそれと異なる位置にシャッタユニット２１を配置することを可能とすることで、光学系設計の自由度が増すとともに、より小型化を図ることができる。上記光学絞りの位置は、本実施形態の撮影光学系では、２群レンズ４８の凸面部上の位置であるが、その前方には極接近して１群レンズ４７の凹面部が位置しているので、シャッタユニット２１をその光学絞り位置に配置せず、２群レンズ４８の背面に配置する。これによって、１群レンズ群と２群レンズを近接させることが可能となり、沈胴時のコンパクト化、撮影光学系の長焦点化（一般的に２群ズームの場合、テレ側で１群レンズと２群レンズの間隔が狭くなる）が実現される。
【００９２】
また、本実施の形態のカメラ１では、上述のようにシャッタユニット２１を光学絞りの位置以外に配置した場合でも周辺部のシェーディングの発生を抑えるようなシャッタ羽根４９，５０の遮蔽部の形状を採用している。すなわち、シャッタ羽根４９，５０の中央縁部に異なる形状の凹状屈曲部４９ｃ，５０ｃを設けて周辺光束を均等に遮蔽するようにしている。
【００９３】
上記シャッタユニット２１は、２群レンズ４８を保持する２群枠２０と一体化して支持されるが、その支持状態でシャッタユニット２１に装着されるシャッタ，フィルタの駆動源であるアクチュエータ５２，５４を２群レンズ４８側であって、光学絞り位置とシャッタ羽根部との間に配置することにより撮影光学系の光軸Ｏ方向に沿った長さを短くすることができる。
【００９４】
【発明の効果】
上述のように本発明の遮光羽根の配置を適切化し、さらに、遮光羽根の遮光光量差の発生を少なくし、より適切な露出が実行できる、かつ、装置の小型化を図ることできる光量調節装置、または、カメラを提供することができる。
【図面の簡単な説明】
【図１】本発明の一実施形態であるレンズ鏡筒が組み込まれたカメラのバリア閉状態での外観を示す斜視図である。
【図２】上記図１のカメラのバリア開状態での外観を示す斜視図である。
【図３】上記１のカメラに組み込まれるレンズ鏡筒の繰り出し状態での外観を示す図である。
【図４】上記図３のレンズ鏡筒の固定枠側の構成部材を被写体側からみた分解斜視図である。
【図５】上記図３のレンズ鏡筒のカム枠側の構成部材を被写体側からみた分解斜視図である。
【図６】上記図３のレンズ鏡筒における２群枠とシャッタユニットとを被写体側からみた拡大分解斜視図である。
【図７】上記図３のレンズ鏡筒における合焦駆動ユニットと、一体化された２群枠およびシャッタユニットとを結像側から見た分解斜視図である。
【図８】上記図３のレンズ鏡筒の沈胴状態における縦断面の上半部を示す図である。
【図９】上記図３のレンズ鏡筒のワイド状態における縦断面の上半部を示す図である。
【図１０】上記図３のレンズ鏡筒のテレ状態における縦断面の上半部を示す図である。
【図１１】上記図３のレンズ鏡筒の撮影光学系における沈胴状態から撮影可能なワイド状態、さらに、テレ状態へ変化したときの結像面に対する各レンズ群の進退位置を示す図である。
【図１２】上記図１のカメラにおける電気制御系のブロック構成図である。
【図１３】上記図３のレンズ鏡筒におけるシャッタユニットのシャッタ地板に組み込まれるシャッタ羽根，ＮＤフィルタ等の各構成部材の分解斜視図である。
【図１４】上記図３のレンズ鏡筒におけるシャッタ地板上に配置されるシャッタ羽根を結像側から見た全開状態での姿勢を示す図である。
【図１５】上記図３のレンズ鏡筒におけるシャッタ羽根を結像側から見た閉じ始めの状態での姿勢を示す図である。
【図１６】上記図３のレンズ鏡筒におけるシャッタ羽根を結像側から見た閉じ途中の状態での姿勢を示す図である。
【図１７】上記図３のレンズ鏡筒におけるシャッタ羽根を結像側から見たその後の閉じ途中の状態であって、周辺光を遮光したときの姿勢を示す図である。
【図１８】上記図３のレンズ鏡筒におけるシャッタ羽根を結像側から見た全閉状態での姿勢を示す図である。
【図１９】上記図３のレンズ鏡筒におけるシャッタ羽根の回動角に対する周辺光遮光率の変化を示す線図である。
【図２０】上記図１のカメラにおけるズームワイド状態でのＡＥプログラム線図である。
【図２１】上記図１のカメラにおけるズームテレ状態でのＡＥプログラム線図である。
【符号の説明】
２１  …シャッタユニット
（光量調節装置，シャッタ装置）
４７  …１群レンズ（第１のレンズ群）
４８  …２群レンズ（第２のレンズ群）
４９，５０…シャッタ羽根（遮光羽根）
５１  …ＮＤフィルタ（フィルタ）
５２  …シャッタアクチュエータ
（駆動源，駆動手段）
１０１…ＣＰＵ（制御手段）
Ｃ０    …光学絞り位置
Ｔｖ  …シャッタスピードを示す値
【図１】
2004252367.tif 000003
【図２】
2004252367.tif 000004
【図３】
2004252367.tif 000005
【図４】
2004252367.tif 000006
【図５】
2004252367.tif 000007
【図６】
2004252367.tif 000008
【図７】
2004252367.tif 000009
【図８】
2004252367.tif 000010
【図９】
2004252367.tif 000011
【図１０】
2004252367.tif 000012
【図１１】
2004252367.tif 000013
【図１２】
2004252367.tif 000014
【図１３】
2004252367.tif 000015
【図１４】
2004252367.tif 000016
【図１５】
2004252367.tif 000017
【図１６】
2004252367.tif 000018
【図１７】
2004252367.tif 000019
【図１８】
2004252367.tif 000020
【図１９】
2004252367.tif 000021
【図２０】
2004252367.tif 000022
【図２１】
2004252367.tif 000023